(57)【要約】【課題】貨幣識別装置の制御内容を個別且つ容易に設定することの可能な端末装置を提供する。【解決手段】貨幣識別装置１０と通信を行うための第１のコネクタ１２０と、該貨幣識別装置１０の設定処理を行うための設定情報１４１を記憶する記憶部１４０とを備え、第１のコネクタ１２０を介して貨幣識別装置１０と通信可能な場合に、記憶部１４０に記憶された設定情報１４１を貨幣識別装置１０に送信する端末装置１００において、所定の情報処理装置２００と通信を行うための第２のコネクタ１３０と、前記第１及び第２のコネクタ１２０，１３０のそれぞれを介して貨幣識別装置１０及び情報処理装置２００と通信可能な場合に、情報処理装置２００から設定情報１４１を受信すると、受信した設定情報１４１を貨幣識別装置１０に送信する制御部１５０とを備えた。【選択図】図３
2010165017.tif 000002
【特許請求の範囲】
【請求項１】
貨幣識別装置と通信を行うための第１のインタフェース部と、該貨幣識別装置の設定処理を行うための設定情報を記憶する記憶部とを備え、第１のインタフェース部を介して貨幣識別装置と通信可能な場合に、記憶部に記憶された設定情報を貨幣識別装置に送信する端末装置において、
所定の情報処理装置と通信を行うための第２のインタフェース部と、
前記第１及び第２のインタフェース部のそれぞれを介して貨幣識別装置及び情報処理装置と通信可能な場合に、情報処理装置から設定情報を受信すると、受信した設定情報を貨幣識別装置に送信する制御部とを備えた
ことを特徴とする端末装置。
【請求項２】
情報入力部を備え、
前記制御部は、
第１のインタフェース部を介して貨幣識別装置と通信可能な場合に、所定の情報が情報入力部を用いて入力されると、記憶部に記憶された設定情報を貨幣識別装置に送信する
ことを特徴とする請求項１記載の端末装置。
【請求項３】
前記設定情報には、
貨幣識別装置に設けられた貨幣収納部に収納可能な貨幣の数が少なくとも含まれる
ことを特徴とする請求項１または２記載の端末装置。
【発明の詳細な説明】
【技術分野】
【０００１】
本発明は、例えば自動販売機等の決済処理装置に設けられた貨幣識別装置の設定処理を行うための端末装置に関するものである。
【背景技術】
【０００２】
従来、この種の端末装置として、貨幣識別装置と通信を行うための第１のインタフェース部と、該貨幣識別装置の設定処理を行うための設定情報を記憶する記憶部とを備え、第１のインタフェース部を介して貨幣識別装置と通信可能な場合に、記憶部に記憶された設定情報を貨幣識別装置に送信するものが知られている。
【０００３】
この端末装置には、オペレータが貨幣識別装置の設定処理を容易且つ短時間に実行可能にするために、簡易な構成がもとめられている。例えば、この端末装置には、設定処理の実行を指示するためのボタンが一般的に設けられており、第１のインタフェース部を介して端末装置と貨幣識別装置が接続された状態でボタンが押下されると、記憶部に記憶された設定情報が貨幣識別装置に送信される。一方、貨幣識別装置は、設定情報を受信すると、該設定情報に基づき装置内の機器を制御する。このようにして、オペレータは、端末装置と貨幣識別装置を接続してボタンを押下するという簡単な操作を行うことにより、貨幣識別装置の設定処理を容易に実行することができる。
【先行技術文献】
【特許文献】
【０００４】
【特許文献１】特開２００２−３４２８１１号公報
【発明の概要】
【発明が解決しようとする課題】
【０００５】
ところで、この貨幣識別装置を設けた自動販売機を設置する際に、例えば釣銭の盗難のおそれがある場所に設置される場合には釣銭の残量を少なく設定し、商品の販売機会の多い場所に設置される場合には釣銭の残量を多く設定する等のように貨幣識別装置の制御内容を個別に設定することにより、運用の柔軟性を向上させる必要がある。
【０００６】
しかしながら、前記従来例では、複数の貨幣識別装置で共通の設定情報が記憶部に記憶されていることから、上記の釣銭の残量等を個別に設定することができず、運用の柔軟性に劣るおそれがあった。
【０００７】
本発明は、上記事情に鑑みてなされたものであり、その目的とするところは、貨幣識別装置の制御内容を個別且つ容易に設定することの可能な端末装置を提供することにある。
【課題を解決するための手段】
【０００８】
本発明は、前記目的を達成するために、貨幣識別装置と通信を行うための第１のインタフェース部と、該貨幣識別装置の設定処理を行うための設定情報を記憶する記憶部とを備え、第１のインタフェース部を介して貨幣識別装置と通信可能な場合に、記憶部に記憶された設定情報を貨幣識別装置に送信する端末装置において、所定の情報処理装置と通信を行うための第２のインタフェース部と、前記第１及び第２のインタフェース部のそれぞれを介して貨幣識別装置及び情報処理装置と通信可能な場合に、情報処理装置から設定情報を受信すると、受信した設定情報を貨幣識別装置に送信する制御部とを備えている。
【０００９】
これにより、第１及び第２のインタフェース部のそれぞれを介して貨幣識別装置及び情報処理装置と通信可能な場合に、情報処理装置から受信した設定情報が貨幣識別装置に送信されることから、例えば貨幣識別装置毎の設定情報が情報処理装置によって生成された場合には、端末装置を貨幣識別装置及び情報処理装置それぞれに接続するという簡単な操作により貨幣識別装置の個別設定を行うことが可能になる。
【発明の効果】
【００１０】
以上説明したように本発明によれば、例えば貨幣識別装置毎の設定情報が情報処理装置によって生成された場合には、端末装置を貨幣識別装置及び情報処理装置それぞれに接続するという簡単な操作により貨幣識別装置の個別設定を行うことができるので、貨幣識別装置の制御内容を個別且つ容易に設定することができ、運用の柔軟性を向上させることができる。
【図面の簡単な説明】
【００１１】
【図１】本発明の一実施形態を示す端末装置によって設定される貨幣識別装置の概略構成図
【図２】端末装置の外観斜視図
【図３】貨幣識別装置及び制御装置の機能ブロック図
【図４】情報処理装置から設定情報を取得する際の端末装置の動作を示すシーケンス図
【図５】貨幣識別装置に対して設定情報を送信する際の端末装置の動作を示すシーケンス図
【図６】貨幣識別装置の個別設定を行う際の端末装置の動作を示すシーケンス図
【符号の説明】
【００１２】
１０…貨幣識別装置、１５…貨幣収納部、１００…端末装置、１１０…実行ボタン、１２０…第１のコネクタ、１３０…第２のコネクタ、１４０…記憶部、１４１…設定情報、１５０…制御部、２００…情報処理装置、Ａ…硬貨
【発明を実施するための形態】
【００１３】
図１乃至図６は本発明の一実施形態を示すもので、図１は端末装置によって設定される貨幣識別装置の概略構成図、図２は端末装置の外観斜視図、図３は貨幣識別装置及び制御装置の機能ブロック図、図４は情報処理装置から設定情報を取得する際の端末装置の動作を示すシーケンス図、図５は貨幣識別装置に対して設定情報を送信する際の端末装置の動作を示すシーケンス図、図６は貨幣識別装置の個別設定を行う際の端末装置の動作を示すシーケンス図である。
【００１４】
本発明の端末装置１００は、貨幣識別装置１０と通信可能な場合に、該貨幣識別装置１０の設定処理を行うための設定情報１４１を送信可能に構成された装置である。また、端末装置１００は、所定の情報処理装置２００と通信を行い、設定情報１４１を該情報処理装置２００から受信可能に構成されている。
【００１５】
まず、図１を参照して、端末装置１００により設定される貨幣識別装置１０の概略構成について説明する。貨幣識別装置１０は、現金を用いた決済処理を行う自動販売機等に設けられるものであり、図１に示すように、貨幣としての硬貨Ａの投入口１１と、投入口１１から投入された硬貨Ａを案内する硬貨案内通路１２と、硬貨案内通路１２を通過中の硬貨Ａの正偽及び金種を判別する金種識別装置１３と、硬貨案内通路１２を通過した硬貨Ａを返却側通路又は受け入れ金種毎の各通路に振り分ける硬貨振分装置１４と、硬貨振分装置１４により振り分けられた硬貨Ａを収納する貨幣収納部としての硬貨収納筒１５と、硬貨収納筒１５に収納されている硬貨Ａを排出する硬貨排出装置１６と、制御部１７と、第１のコネクタ１９と、第２のコネクタ２０（図１では、制御部１７、第１のコネクタ１９及び第２のコネクタ２０の図示省略）とを備えている。なお、投入口１１、硬貨案内通路１２、金種識別装置１３、硬貨振分装置１４、硬貨収納筒１５、硬貨排出装置１６の構成については従来のものと同様なので、ここでの詳述は省略する。
【００１６】
硬貨収納筒１５は、金種毎に形成された複数のチューブ１５Ａ〜１５Ｅからなる。硬貨振分装置１４は、制御部１７からの指示に基づき動作し、投入硬貨Ａを硬貨収納筒１５の各チューブ１５Ａ〜１５Ｅに振り分けるとともに、必要に応じて投入硬貨Ａを所定の返却口１８や金庫（図示省略）に振り分ける。また、制御部１７、第１のコネクタ１９及び第２のコネクタ２０の構成については後述する。
【００１７】
次に、図２を参照して端末装置１００の概略構成について説明する。本実施形態の端末装置１００は、貨幣識別装置１００及び情報処理装置２００それぞれとの間で有線接続によるデータ通信を行うことの可能な携帯型端末装置であり、図２に示すように、設定情報１４１の送信処理を実行するための情報入力部としての実行ボタン１１０と、貨幣識別装置１０と通信を行うための第１のインタフェース部としての第１のコネクタ１２０と、情報処理装置２００と通信を行うための第２のインタフェース部としての第２のコネクタ１３０とを備えている。ここで、第１のコネクタ１２０は、ＲＳ−２３２Ｃ規格に準拠したコネクタであり、第２のコネクタ１３０は、ＵＳＢ規格に準拠したコネクタである。また、ここでは図示していないが、端末装置１００は、記憶部１４０と、制御部１５０とを備えている。
【００１８】
次に、貨幣識別装置１０、端末装置１００及び情報処理装置２００の制御系構成について図３の機能ブロック図を参照して説明する。
【００１９】
まず、貨幣識別装置１０の制御系構成について説明する。制御部１７は、ＣＰＵ、ＲＡＭ、ＲＯＭ等を備えたコンピュータからなり、貨幣識別装置１０全体の制御を行う。また、制御部１７は、硬貨振分装置１４による各チューブ１５Ａ〜１５Ｅへの硬貨Ａの振分数と、硬貨排出装置１６による各チューブ１５Ａ〜１５Ｅからの硬貨Ａの排出数とに基づき、各チューブ１５Ａ〜１５Ｅの硬貨収納数をもとめることが可能に構成されている。ここで、各チューブ１５Ａ〜１５Ｅの硬貨収納数は、後述の設定情報１４１に基づき変更可能となっている。第１のコネクタ１９は、日本自動販売機工業会（ＪＶＭＡ）インタフェース仕様に準拠したコネクタであり、自動販売機に設けられた主制御部１等と通信するためのものである。また、第２のコネクタ２０は、ＲＳ−２３２Ｃ規格に準拠したコネクタであり、端末装置１００と通信するためのものである。
【００２０】
次いで、端末装置１００の制御系構成について説明する。記憶部１４０はＥＥＰＲＯＭ等の書き換え可能な記憶素子であり、貨幣識別装置１０の設定処理を行うための設定情報１４１が記憶されている。設定情報１４１は、貨幣識別装置１０を識別するための貨幣識別装置ＩＤ（図示省略）及び端末装置１００を識別するための端末装置ＩＤ（図示省略）のそれぞれに対応付けられた状態で記憶されている。また、設定情報１４１には、貨幣識別装置１０の各チューブ１５Ａ〜１５Ｅに収納可能な硬貨Ａの数が少なくとも含まれている。
【００２１】
制御部１５０は、ＣＰＵ、ＲＡＭ、ＲＯＭ等を備えたコンピュータからなり、端末装置１００全体の制御を行う。なお、制御部１５０の動作の詳細については後述する。
【００２２】
次に、情報処理装置２００について説明する。情報処理装置２００は、周知のパーソナルコンピュータであり、端末装置１００と通信可能に構成されている。また、情報処理装置２００は、ＧＵＩを用いた設定情報１４１の生成・変更が可能に構成されており、生成・変更された設定情報１４１は、所定の記憶装置（図示省略）に記憶される。
【００２３】
以下に、本実施形態に係る端末装置１００において、情報処理装置２００から設定情報１４１を取得する際の動作について、図４のシーケンス図を参照して説明する。
【００２４】
まず、端末装置１００が、第２のコネクタ１３０を介して情報処理装置２００と通信可能に接続されている状態において、情報処理装置２００は、所定の応答信号要求コマンドを端末装置１００に送信する（ステップＳ１）。一方、端末装置１００の制御部１５０は、第２のコネクタ１３０を介して応答信号要求コマンドを受信すると、該コマンドに対する応答信号を、第２のコネクタ１３０を介して情報処理装置２００に送信する（ステップＳ２）。この場合、応答信号には、端末装置ＩＤが含まれている。
【００２５】
そして、情報処理装置２００は、応答信号を受信すると、該応答信号に含まれる端末装置ＩＤに対応する設定情報１４１を記憶装置（図示省略）から抽出し（ステップＳ３）、抽出した設定情報１４１を端末装置１００に送信する（ステップＳ４）。一方、端末装置１００の制御部１５０は、設定情報１４１を受信すると、該設定情報１４１を記憶部１４０に記憶する。
【００２６】
次に、貨幣識別装置１０に対して設定情報１４１を送信する際の端末装置１００の動作について、図５のシーケンス図を参照して説明する。
【００２７】
まず、端末装置１００が、第１のコネクタ１２０を介して貨幣識別装置１０と通信可能に接続されている状態において、実行ボタン１１０が押下されると（ステップＳ１１）、端末装置１００の制御部１５０は、所定の応答信号要求コマンドを貨幣識別装置１０に送信する（ステップＳ１２）。一方、貨幣識別装置１０の制御部１７は、第２のコネクタ２０を介して応答信号要求コマンドを受信すると、該コマンドに対する応答信号を、第２のコネクタ２０を介して端末装置１００に送信する（ステップＳ１３）。この場合、応答信号には、貨幣識別装置ＩＤが含まれている。
【００２８】
そして、端末装置１００の制御部１５０は、応答信号を受信すると、該応答信号に含まれる貨幣識別装置ＩＤに対応する設定情報１４１を記憶部１４０から抽出し（ステップＳ１４）、抽出した設定情報１４１を貨幣識別装置１０に送信する（ステップＳ１５）。一方、貨幣識別装置１０の制御部１７は、設定情報１４１を受信すると、該設定情報１４１に基づき貨幣識別装置１０内の各機器を制御する（ステップＳ１６）。この場合、貨幣識別装置１０の制御部１７は、設定情報１４１に含まれる各チューブ１５Ａ〜１５Ｅの硬貨収納数に基づいて硬貨振分装置１４及び硬貨排出装置１６を制御することにより、各チューブ１５Ａ〜１５Ｅの硬貨収納数を変更することが可能となる。
【００２９】
このようにして、端末装置１００が、第１のコネクタ１２０を介して貨幣識別装置１０と通信可能に接続されている状態において、実行ボタン１１０が押下されることにより、貨幣識別装置１０の設定を容易に行うことができる。
【００３０】
次に、貨幣識別装置１０の個別設定を行う際の端末装置１００の動作について、図６のシーケンス図を参照して説明する。
【００３１】
まず、端末装置１００が、第１及び第２のコネクタ１２０，１３０を介して貨幣識別装置１０及び情報処理装置２００のそれぞれと通信可能に接続されている状態において、実行ボタン１１０が押下されると（ステップＳ２１）、端末装置１００の制御部１５０は、所定の応答信号要求コマンドを貨幣識別装置１０に送信する（ステップＳ２２）。一方、貨幣識別装置１０の制御部１７は、第２のコネクタ２０を介して応答信号要求コマンドを受信すると、該コマンドに対する応答信号を、第２のコネクタ２０を介して端末装置１００に送信する（ステップＳ２３）。この場合、応答信号には、貨幣識別装置ＩＤが含まれている。
【００３２】
そして、端末装置１００の制御部１５０は、応答信号を受信すると、該応答信号に含まれる貨幣識別装置ＩＤに対応する設定情報１４１の送信を要求するコマンドを、第２のコネクタ１３０を介して情報処理装置に送信する（ステップＳ２４）。一方、情報処理装置２００は、コマンドを受信すると、貨幣識別装置ＩＤに対応する設定情報１４１を記憶装置から抽出し（ステップＳ２５）、抽出した設定情報１４１を端末装置１００に送信する（ステップＳ２６）。また、端末装置１００の制御部１５０は、受信した設定情報１４１を、貨幣識別装置１０に送信する（ステップＳ２７）。そして、貨幣識別装置１０の制御部１７は、該設定情報１４１に基づき貨幣識別装置１０内の各機器を制御する（ステップＳ２８）。
【００３３】
これにより、第１及び第２のコネクタ１２０，１３０のそれぞれを介して貨幣識別装置１０及び情報処理装置２００と通信可能な場合に、情報処理装置２００から受信した設定情報１４１が貨幣識別装置１０に送信されることから、端末装置１００を貨幣識別装置１０及び情報処理装置２００それぞれに接続するという簡単な操作により貨幣識別装置１０の個別設定を行うことが可能になる。また、本実施形態の設定情報１４１には、貨幣識別装置１０の硬貨収納筒１５に収納可能な硬貨Ａの数が少なくとも含まれることから、例えば釣銭の盗難のおそれがある設置場所では収納硬貨Ａの残量を少なく設定し、商品の販売機会の多い設置場所では収納硬貨Ａの残量を多く設定する等のように制御内容を個別に設定することが可能となる。
【００３４】
このように本実施形態に係る端末装置１００によれば、端末装置１００を貨幣識別装置１０及び情報処理装置２００それぞれに接続するという簡単な操作により貨幣識別装置１０の個別設定を行うことができるので、貨幣識別装置１０の制御内容を個別且つ容易に設定することができ、運用の柔軟性を向上させることができる。
【００３５】
また、実行ボタン１１０を備え、制御部１５０は、第１のコネクタ１２０を介して貨幣識別装置１０と通信可能な場合に、実行ボタン１１０が押下されると、記憶部１４０に記憶された設定情報１４１を貨幣識別装置１０に送信するので、記憶部１４０に記憶された設定情報１４１に基づく制御を複数の貨幣識別装置１０に行わせることができることから、各貨幣識別装置１００共通の設定処理を容易に行うことができる。
【００３６】
さらに、設定情報１４１には、貨幣識別装置１０に設けられた硬貨収納筒１５に収納可能な硬貨Ａの数が少なくとも含まれるので、例えば釣銭の盗難のおそれがある設置場所では収納硬貨Ａの残量を少なく設定し、商品の販売機会の多い設置場所では収納硬貨Ａの残量を多く設定する等のように制御内容を個別に設定することができ、運用の柔軟性を向上させることができる。
【００３７】
なお、上記実施形態は本発明の具体例に過ぎず、本発明が上記実施形態のみに限定されることはない。例えば、上記実施形態では、硬貨Ａのみを扱っていたが、紙幣も取扱い可能に構成してもよい。
【００３８】
また、上記実施形態では、実行ボタン１１０が押下されると、設定情報１４１が貨幣識別装置１０に送信されるように構成されているが、端末装置１００に設けられたテンキーを用いて所定の数字列が入力されると、設定情報１４１が貨幣識別装置１０に送信されるように構成してもよい。
【００３９】
さらに、上記実施形態では、端末装置１００を、貨幣識別装置１０及び情報処理装置２００それぞれと有線で通信可能に構成したが、貨幣識別装置１０及び情報処理装置２００それぞれとの間で赤外線等を用いた無線通信が可能に構成してもよい。
【図１】
2010165017.tif 000003
【図２】
2010165017.tif 000004
【図３】
2010165017.tif 000005
【図４】
2010165017.tif 000006
【図５】
2010165017.tif 000007
【図６】
2010165017.tif 000008